(57)【要約】【課題】軒樋の勾配を容易に調整することができる軒樋支持具を提供すること。【解決手段】軒先に固定される設置部１Ａと、この設置部１Ａと接続する支持具本体１Ｂと、設置部１Ａと支持具本体１Ｂとの間に配設される回動固定部１Ｃとを備えた軒樋支持具１であって、支持具本体は、設置部側から略水平方向に向かって突出し、軒樋を下方から支持可能な樋受け部５と、樋受け部の設置部側に設けられ、樋受け部の突出方向と直交する方向に平行な複数の歯部４３を備えた平歯車部４とを備え、かつ、支持具本体は、平歯車部を支軸として樋受け部の突出方向と直交する水平方向を中心に回動自在であり、回動固定部は、平歯車部の歯部と嵌合可能な嵌合部８２を備え、回動固定部の嵌合部と平歯車部の歯部とを嵌合させることで、支持具本体の回動が阻止された状態で固定される。【選択図】図１
2016211263.tif 000002
【特許請求の範囲】
【請求項１】
軒先に固定される設置部と、この設置部と接続する支持具本体と、前記設置部と前記支持具本体との間に配設される回動固定部とを備えた軒樋支持具であって、
前記支持具本体は、
前記設置部側から略水平方向に向かって突出し、軒樋を下方から支持可能な樋受け部と、
前記樋受け部の前記設置部側に設けられ、前記樋受け部の突出方向と直交する方向に平行な複数の歯部を備えた平歯車部と、
を備え、かつ、前記平歯車部を支軸として前記樋受け部の突出方向と直交する水平方向を中心に回動自在であり、
前記回動固定部は、前記平歯車部の前記歯部と嵌合可能な嵌合部を備え、
前記回動固定部の前記嵌合部と前記平歯車部の前記歯部とを嵌合させることで、前記支持具本体の回動が阻止された状態で固定されることを特徴とする軒樋支持具。
【請求項２】
前記設置部は、前記平歯車部と接続する接続部を備え、この接続部には外方に向かって突出する係合爪部が設けられており、
前記回動固定部には、前記係合爪部が挿入可能な開口部が設けられており、
前記回動固定部の前記開口部に前記接続部の前記係合爪部を挿入することで、前記回動固定部の前記嵌合部と前記平歯車部の前記歯部とが嵌合した状態で、前記回動固定部が前記係合爪部に係止されることを特徴とする請求項１に記載の軒樋支持具。
【請求項３】
前記受け部は、前記平歯車部の下方付近に重量調整部を備えることを特徴とする請求項１または２に記載の軒樋支持具。
【請求項４】
前記設置部、前記支持具本体および前記回動固定部が樹脂製であることを特徴とする請求項１から３のいずれか一項に記載の軒樋支持具。
【発明の詳細な説明】
【技術分野】
【０００１】
本発明は、軒樋支持具に関する。
【背景技術】
【０００２】
従来、垂木や鼻隠しなどの傾斜角度に応じて軒樋の勾配を調整することができる軒樋支持具が知られている。
【０００３】
例えば、特許文献１には、樋受具に設けた長孔および軒先固定具の２片の挟着板に設けた小孔にボルト（固定具）を挿通して蝶ナットと螺合させることで、樋受具と軒先固定具とを一体に固定する軒樋支持具が記載されている。この軒樋支持具では、固定具を基点として樋受具を回動させることで、鼻隠しの傾斜角度に合わせて軒樋の勾配が調整されている。
【先行技術文献】
【特許文献】
【０００４】
【特許文献１】実開平2−51630号公報
【発明の概要】
【発明が解決しようとする課題】
【０００５】
しかしながら、特許文献１の軒樋支持具の場合、ボルトとナットの螺合を緩めた状態で垂木や鼻隠しなどの傾斜角度に応じて軒樋支持具（樋受具）の勾配を調整した後、ボルトとナットとを螺合させて固定する作業が必要ある。このようなボルトとナットとを螺合させる作業は煩雑であるため、施工性が十分であるとは言い難い。
【０００６】
本発明は、以上のとおりの事情に鑑みてなされたものであり、軒樋の勾配を容易に調整することができる軒樋支持具を提供することを課題としている。
【課題を解決するための手段】
【０００７】
上記の課題を解決するために、本発明の軒樋支持具は、軒先に固定される設置部と、この設置部と接続する支持具本体と、前記設置部と前記支持具本体との間に配設される回動固定部とを備えた軒樋支持具であって、
前記支持具本体は、
前記設置部側から略水平方向に向かって突出し、軒樋を下方から支持可能な樋受け部と、
前記樋受け部の前記設置部側に設けられ、前記樋受け部の突出方向と直交する方向に平行な複数の歯部を備えた平歯車部と、
を備え、かつ、前記平歯車部を支軸として前記樋受け部の突出方向と直交する水平方向を中心に回動自在であり、
前記回動固定部は、前記平歯車部の前記歯部と嵌合可能な嵌合部を備え、
前記回動固定部の前記嵌合部と前記平歯車部の前記歯部とを嵌合させることで、前記支持具本体の回動が阻止された状態で固定されることを特徴としている。
【発明の効果】
【０００８】
本発明の軒樋支持具は、軒樋の勾配を容易に調整することができる。
【図面の簡単な説明】
【０００９】
【図１】本発明の軒樋支持具の一実施形態を例示した分解斜視図および部分拡大図である。
【図２】図１に例示した軒樋支持具に軒樋を取り付けた状態を例示した斜視図および部分拡大図である。
【発明を実施するための形態】
【００１０】
図１は、本発明の軒樋支持具の一実施形態を例示した分解斜視図および部分拡大図である。図２は、図１に例示した軒樋支持具に軒樋を取り付けた状態を例示した斜視図および部分拡大図である。
【００１１】
軒樋支持具１は、軒先に固定される設置部１Ａと、この設置部１Ａと接続し、軒樋Ｗ（図２に図示）を下方から支持する支持具本体１Ｂと、設置部１Ａと支持具本体１Ｂとの間に配設される回動固定部１Ｃとを備えている。設置部１Ａ、支持具本体１Ｂおよび回動固定部１Ｃは樹脂製であることが好ましく、これによって寸法精度を高めることができる。
【００１２】
設置部１Ａは、取付部２と接続部３と備えている。
【００１３】
取付部２は、略水平方向に長い板状であり、ネジなどの固定具Ｔによって軒先の垂木や鼻隠し（図示していない）などに固定される。取付部２には、固定具Ｔを挿入するための貫通孔２１が長尺方向に沿って等間隔に設けられている。
【００１４】
接続部３は、取付部２の屋外側の端部２aから略直角に屈曲する屈曲部３１と、この屈曲部３１の中央付近から屋外側に向かって略水平に突出する突出部３２とを備えている。
【００１５】
突出部３２の上面には上方に向かって突出する係合爪部３３が設けられている。係合爪部３３は、互いに対向する第１爪部３４と第２爪部３５とによって形成されている。第１爪部３４は、斜め上方に向かって突出する第１突起片３４aと、第１突起片３４aの先端から外側斜め下方に向かって折り返す第１折り返し片３４bとを備えている。同様に、第２爪部３５は、第１突起片３４aとは反対側の斜め上方に向かって突出する第２突起片３５aと、第２突起片３５aの先端から外側斜め下方に向かって折り返す第２折り返し片３５bとを備えている。第１突起片３４aと第２突起片３５aは基端側で互いに接続しており、第１折り返し片３４bおよび第２折り返し片３５bが設けられている先端側に向かって外側に拡開している。
【００１６】
支持具本体１Ｂは、設置部１Ａ側に設けられた平歯車部４と、設置部１Ａ側から略水平方向に向かって突出し、軒樋Ｗを下方から支持可能な樋受け部５とを備えている。
【００１７】
平歯車部４は接続部３の突出部３２と接続している。具体的には、平歯車部４は、水平方向に対向配置された第１平歯車部４１と第２平歯車部４２とを有しており、突出部３２は第１平歯車部４１と第２平歯車部４２との間に挟持されている。第１平歯車部４１、第２平歯車部４２および接続部３の中央には、樋受け部５の突出方向と直交する水平方向Ｐに長い略円柱状の軸受け部４４が連通しており、互いに接続されている。
【００１８】
第１平歯車部４１および第２平歯車部４２は略円柱形であり、外周面の周方向に亘って樋受け部５の突出方向と直交する方向に平行（軸受け部４４と平行）な複数の歯部４３が連続して設けられている。歯部４３は鋭角に突起しており、それぞれの高さ、隣接する歯部４３の同士の間隔は一定に設計されている。
【００１９】
第１平歯車部４１および第２平歯車部４２は、軸受け部４４（樋受け部５の突出方向と直交する水平方向Ｐ）を中心として回転自在である。
【００２０】
樋受け部５は、第１平歯車部４１から下方に向かって延びる第１垂下部５１aと、第１垂下部５１aから略水平方向に向かって下方に湾曲して延びる第１湾曲部５２aを備えている。同様に、樋受け部５は、第２平歯車部４２から下方に向かって延びる第２垂下部５１bと、第２垂下部５１bから略水平方向に向かって下方に湾曲して延びる第２湾曲部５２bを備えている。第１垂下部５１aと第２垂下部５１bおよび第１湾曲部５２aと第２湾曲部５２bは互いに対向し平行に配置されている。
【００２１】
第１垂下部５１aの屋外側の面には、軒樋Ｗの耳部ｗ２を保持する第１耳保持部５３aが配設されている。同様に、第２垂下部５１bの屋外側の面にも軒樋Ｗの耳部ｗ２を保持する第１耳保持部５３bが配設されている。２つの第１耳保持部５３a、５３bは屋外側に向かって水平に突出する断面略三角形状であり、略同じ高さ位置に配設されている。
【００２２】
第１垂下部５１aおよび第２垂下部５１bの屋外側の下端には、水平方向に突出する段部５４a、５４bが形成されている。この段部５４a、５４bと第１耳保持部５３a、５３bとの間には、第１耳保持空間Ｓ１が形成されている。
【００２３】
また、第１垂下部５１aおよび第２垂下部５１bの下端付近（第１平歯車部４１および第２平歯車部４２の下方）には、重量調整部６としての拡大部６１が形成されている。拡大部６１は、第１垂下部５１aおよび第２垂下部５１bから設置部１Ａ側に向かって突出しており、他の部分と比較して重量が大きく形成されている。このため、樋受け部５の重心は拡大部６１付近に位置しており、樋受け部５を操作しない時は拡大部６１が平歯車部４の下方に位置する状態になる。したがって、樋受け部５の角度が略水平に維持されるため、施工時に軒樋Ｗを容易に嵌め込むことができる。
【００２４】
第１湾曲部５２aおよび第２湾曲部５２bは、軒樋Ｗの下面の形状と対応しており、軒樋８を下方から支持することができる。第１湾曲部５２aおよび第２湾曲部５２bの先端は互いに接続しており、第２耳保持部７が形成されている。
【００２５】
第２耳保持部７は、第１湾曲部５２aおよび第２湾曲部５２bの先端から略水平方向外側に突出する水平部７１と、水平部７１の先端部から上方に立ち上がる上片部７２と、上片部７２の上端部から設置部１A側に略水平に突出する爪部７３とを有している。第２耳保持部７は、水平部７１と爪部７３との間に第２耳保持空間Ｓ２が形成されている。
【００２６】
支持具本体１Ｂは、平歯車部４（軸受け部４４）を支軸として樋受け部５の突出方向と直交する水平方向Ｐを中心に回動自在である。したがって、垂木や鼻隠しなどの傾斜角度に応じて支持具本体１Ｂを上下に回動させることで軒樋Ｗの勾配を容易に調整することができる。
【００２７】
回動固定部１Ｃは、曲面部８と平板部９を備えている。
【００２８】
曲面部８は、第１曲面部８aと第２曲面部８bとが平板部９を介して接続している。第１曲面部８aと第２曲面部８bとは水平方向に対向して配置されている。
【００２９】
第１曲面部８aと第２曲面部８bとは略同一形状であり、下方に向かって略半円弧状に湾曲している。第１曲面部８aと第２曲面部８bの曲率、幅は、第１平歯車部４１および第２平歯車部４２の外周面の曲率、幅とそれぞれ対応している。また、第１曲面部８aと第２曲面部８bの円弧長さは、第１平歯車部４１および第２平歯車部４２の外周の半分程度の長さに設計されている。
【００３０】
第１曲面部８aと第２曲面部８bには、湾曲する側の内面に、平歯車部４の歯部４３と嵌合可能な嵌合部８１を備えている。この実施形態では、嵌合部８１は平歯車部４の歯部４３と同様の形状として鋭角に突出する凸条部８２として形成されている。具体的には、第１曲面部８aと第２曲面部８bの内面には、互いに隣接する方向に平行な複数の凸条部８２が、円弧方向に亘って連続して設けられている。凸条部８２の高さ、隣接する凸条部８２の同士の間隔は一定に設計されている。また、この実施形態では、第１曲面部８aおよび第２曲面部８bの凸条部８２の高さ、隣接する凸条部８２の同士の間隔は、第１平歯車部４１および第２平歯車部４２の歯部４３の高さ、隣接する歯部４３の同士の間隔と略一致している。
【００３１】
平板部９の外形は略矩形状であり、第１曲面部８aおよび第２曲面部８bよりも一段高く形成されている。平板部９の中央には、接続部３に設けられた係合爪部３３が挿入される略矩形状の開口部９１が形成されている。
【００３２】
図２に例示したように、この実施形態の軒樋支持具１によって支持される軒樋Ｗは、軒樋本体ｗ３と、軒樋本体ｗ３の上端の外側に設けられた耳部ｗ１、ｗ２を備えている。屋外側の耳部ｗ１と軒先側の耳部ｗ２とは互いに対向し、長尺方向に向かって略平行に延びている。
【００３３】
軒樋Ｗは、軒樋本体ｗ３が軒樋支持具１の樋受け部５の第１湾曲部５２aおよび第２湾曲部５２bによって下方から支持される。また、軒樋Ｗの軒先側の耳部ｗ２は第１耳保持空間Ｓ１に挿入され、第１耳保持部５３a、５３bと段部５４a、５４bとによって挟持される。軒樋８の屋外側の耳部ｗ１は第２耳保持空間Ｓ２に挿入され、水平部７１と爪部７３とによって挟持される。これによって、軒樋Ｗが軒樋支持具１に安定的に支持される。
【００３４】
この実施形態の軒樋支持具１において、垂木や鼻隠しなどの傾斜角度に応じて軒樋Ｗの勾配を調整する場合には、平歯車部４（軸受け部４４）を支軸として支持具本体１Ｂを所望の位置まで回動させて保持する。そして、回動固定部１Ｃを接続部３付近の上方から下方に降ろして、接続部３の突出部３２に設けられた係合爪部３３の先端（第１折り返し片３４bおよび第２折り返し片３５bの一部）のみを平板部９の開口部９１に挿入して仮止めする。これにより、第１曲面部８aの凸条部８２と第１平歯車部４aの歯部４３とが嵌合し、かつ、第１曲面部８bの凸条部８２と第２平歯車部４bの歯部４３とが嵌合した状態になる。これによって、第１平歯車部４aおよび第２平歯車部４bの回転不能になり、支持具本体１Ｂの回動が一旦阻止される。
【００３５】
そして、例えば他の軒樋支持具１も同様に仮止めした後、適切な水勾配が生じるように支持具本体１Ｂ（樋受け部５）の角度を調整する。具体的には、回動固定部１Ｃを一旦接続部３から外した状態で、支持具本体１Ｂを回動させ、再度、係合爪部３３の先端のみを平板部９の開口部９１に挿入することにより、支持具本体１Ｂ（樋受け部５）の角度を調整することができる。
【００３６】
全ての軒樋支持具１の支持具本体１Ｂ（樋受け部５）の角度を調整した後、さらに回動固定部１Ｃを下方に降ろして、接続部３の突出部３２に設けられた係合爪部３３（第１爪部３４および第２爪部３５）を平板部９の開口部９１に挿入する。この時、係合爪部３３は開口部９１の周縁９１aと当接して内向き（第１爪部３４と第２爪部３５が接近する方向）に変形した後、開口部９１を通過すると元の形状に復帰する。このため、第１爪部３４の第１折り返し片３４bと第２爪部３５の第２折り返し片３５bとによって、開口部９１の周縁９１aが上側から安定に係止され、回動固定部１Ｃが本止め状態になる。
【００３７】
そして、回動固定部１Ｃが係合爪部３３に係止されると、第１曲面部８aの凸条部８２と第１平歯車部４aの歯部４３とが嵌合し、かつ、第１曲面部８bの凸条部８２と第２平歯車部４bの歯部４３とが嵌合した状態になる。これによって、第１平歯車部４aおよび第２平歯車部４bの回転不能になり、支持具本体１Ｂの回動が阻止されるため、支持具本体１Ｂが所望の回動位置（角度）で固定され、軒樋Ｗを所望の勾配で取り付けることができる。このため、軒樋支持具１は、軒樋Ｗの勾配を容易に調整することができ、施工性に優れている。
【００３８】
本発明の軒樋支持具１は、軒先に固定される設置部１Ａと、この設置部１Ａと接続する支持具本体１Ｂと、設置部１Ａと支持具本体１Ｂとの間に配設される回動固定部１Ｃとを備えた軒樋支持具１である。支持具本体１Ｂは、設置部１Ａ側から略水平方向に向かって突出し、軒樋Ｗを下方から支持可能な樋受け部５と、樋受け部５の設置部１Ａ側に設けられ、樋受け部５の突出方向と直交する方向に延びる複数の歯部４３を備えた平歯車部４とを備えている。支持具本体１Ｂは、平歯車部４を支軸として樋受け部５の突出方向と直交する水平方向を中心に回動自在である。回動固定部１Ｃは、平歯車部４の歯部４３と嵌合可能な嵌合部８２を備えている。回動固定部１Ｃの嵌合部８２と平歯車部４の歯部４３とを嵌合させることで、支持具本体１Ｂの回動が阻止された状態で固定される。
【００３９】
また、本発明の軒樋支持具１では、設置部１Ａは、平歯車部４と接続する接続部３を備え、この接続部３には外方に向かって突出する係合爪部３３が設けられており、回動固定部１Ｃには、係合爪部３３が挿入可能な開口部９１が設けられていることが好ましい。回動固定部１Ｃの開口部９１に接続部３の係合爪部３３を挿入することで、回動固定部１Ｃの嵌合部８２と平歯車部４の歯部４３とが嵌合した状態で、回動固定部１Ｃが係合爪部３３に係止されることが好ましい。
【００４０】
本発明の軒樋支持具は、以上の実施形態に限定されることはない。例えば、平歯車部の歯部および曲面部の凸条部の形状、間隔、高さなどは、互いに嵌合可能であればよく適宜設計することができる。平歯車部の歯部および曲面部の凸条部は、それぞれの表面全体に設けられている必要はなく、部分的に設けられていてもよい。また、図１および図２では、平歯車部が２つ設けられている形態（第１平歯車部および第２平歯車部）を例示したが、一方のみであってもよい。さらに、軒樋支持具によって支持される軒樋の形態も特に限定されず、例えば角樋などであってもよい。
【符号の説明】
【００４１】
１    軒樋支持具
１Ａ  設置部
１Ｂ  支持具本体
１Ｃ  回動固定部
２    取付部
３    接続部
３３  係合爪部
４    平歯車部
４３  歯部
５    樋受け部
６    重量調整部
８１  嵌合部
９１  開口部
Ｗ    軒樋
【図１】
2016211263.tif 000003
【図２】
2016211263.tif 000004